(57)【要約】【課題】バッテリやバッテリアダプタに係る設置可能箇所がより広くなり、一層取り扱い易い、バッテリやバッテリアダプタを外部機器に接続可能なアダプタアタッチメントを提供する。【解決手段】アダプタアタッチメント１は、バッテリアダプタ２を取り付けるバッテリアダプタ取付部材６と、水平箇所以外における設置を維持するマグネット部２４やフック用孔部３２と、を備えており、バッテリアダプタ２は、バッテリＶを装着可能なバッテリ装着部１１と、バッテリ装着部１１に装着されたバッテリＶの電力を墨出し器１０１に対し出力する電力出力端子１２，１２と、を有している。【選択図】図３
2018085303.tif 000002
【特許請求の範囲】
【請求項１】
バッテリアダプタを取り付けるバッテリアダプタ取付部と、
水平箇所以外における設置を維持する保持部と、
を備えており、
前記バッテリアダプタは、
バッテリを装着可能なバッテリ装着部と、
前記バッテリ装着部に装着された前記バッテリの電力を外部機器に対し出力する電力出力端子と、
を有している
ことを特徴とするアダプタアタッチメント。
【請求項２】
前記バッテリアダプタ取付部は、前記バッテリアダプタに係止する係止部を有している
ことを特徴とする請求項１に記載のアダプタアタッチメント。
【請求項３】
前記バッテリアダプタ取付部は、前記バッテリアダプタと隣接可能である隣接板状部を有している
ことを特徴とする請求項１又は請求項２に記載のアダプタアタッチメント。
【請求項４】
前記バッテリアダプタは、フック部を有しており、
前記バッテリアダプタ取付部は、前記フック部において前記バッテリアダプタを取り付ける
ことを特徴とする請求項１ないし請求項３の何れかに記載のアダプタアタッチメント。
【請求項５】
前記保持部は、マグネットである
ことを特徴とする請求項１ないし請求項４の何れかに記載のアダプタアタッチメント。
【請求項６】
更に、前記電力出力端子に接続される電源ケーブルを収納可能なケーブル収納部を備えている
ことを特徴とする請求項１ないしは請求項５の何れかに記載のアダプタアタッチメント。
【請求項７】
前記外部機器は、墨出し器である
ことを特徴とする請求項１ないしは請求項６の何れかに記載のアダプタアタッチメント。
【請求項８】
前記バッテリは、電動工具用バッテリである
ことを特徴とする請求項１ないしは請求項７の何れかに記載のアダプタアタッチメント。
【請求項９】
前記バッテリは、電動工具用バッテリと同様の外形を有していて乾電池を内蔵可能である乾電池パックである
ことを特徴とする請求項１ないしは請求項７の何れかに記載のアダプタアタッチメント。
【発明の詳細な説明】
【技術分野】
【０００１】
本発明は、墨出し器等の外部機器に対して電力を供給可能なバッテリ付きのバッテリアダプタ等を取り付けるアダプタアタッチメントに関する。
【背景技術】
【０００２】
コードレス電動工具のリチウムイオンバッテリに接続するバッテリアダプタとして、下記特許文献１に記載のものが知られている。
特許文献１のバッテリアダプタは、当該バッテリと接続される接続端子と、ＵＳＢポートと、を有しており、当該バッテリに装着された状態で、ＵＳＢポートにＵＳＢ充電ケーブルが挿入されることで、ポータブル端末が充電される。
【先行技術文献】
【特許文献】
【０００３】
【特許文献１】特開２０１３−１８３６２４号公報
【発明の概要】
【発明が解決しようとする課題】
【０００４】
特許文献１のバッテリアダプタでは、バッテリが装着された状態で水平な机等に置く必要があり、設置場所が制限される。
そこで、本発明は、バッテリやバッテリアダプタに係る設置可能箇所がより広くなり、一層取り扱い易い、バッテリやバッテリアダプタを外部機器に接続可能なアダプタアタッチメントを提供することを主な目的とするものである。
【課題を解決するための手段】
【０００５】
上記目的を達成するために、請求項１に記載の発明は、バッテリアダプタを取り付けるバッテリアダプタ取付部と、水平箇所以外における設置を維持する保持部と、を備えており、前記バッテリアダプタは、バッテリを装着可能なバッテリ装着部と、前記バッテリ装着部に装着された前記バッテリの電力を外部機器に対し出力する電力出力端子と、を有していることを特徴とするものである。
請求項２に記載の発明は、上記発明において、前記バッテリアダプタ取付部は、前記バッテリアダプタに係止する係止部を有していることを特徴とするものである。
請求項３に記載の発明は、上記発明において、前記バッテリアダプタ取付部は、前記バッテリアダプタと隣接可能である隣接板状部を有していることを特徴とするものである。
請求項４に記載の発明は、上記発明において、前記バッテリアダプタは、フック部を有しており、前記バッテリアダプタ取付部は、前記フック部において前記バッテリアダプタを取り付けることを特徴とするものである。
請求項５に記載の発明は、上記発明において、前記保持部は、マグネットであることを特徴とするものである。
請求項６に記載の発明は、上記発明において、更に、前記電力出力端子に接続される電源ケーブルを収納可能なケーブル収納部を備えていることを特徴とするものである。
請求項７に記載の発明は、上記発明において、前記外部機器は、墨出し器であることを特徴とするものである。
請求項８に記載の発明は、上記発明において、前記バッテリは、電動工具用バッテリであることを特徴とするものである。
請求項９に記載の発明は、上記発明において、前記バッテリは、電動工具用バッテリと同様の外形を有していて乾電池を内蔵可能である乾電池パックであることを特徴とするものである。
【発明の効果】
【０００６】
本発明によれば、バッテリやバッテリアダプタに係る設置可能箇所がより広くなり、一層取り扱い易いアダプタアタッチメントを提供することができる、という効果を奏する。
【図面の簡単な説明】
【０００７】
【図１】本発明に係るアダプタアタッチメント並びに大型バッテリ及びそのバッテリアダプタないし外部機器としての墨出し器の斜視図である。
【図２】図１における左側面図である。
【図３】図１における右側面図である。
【図４】図１における上面図である。
【図５】アダプタアタッチメントの斜視図である。
【図６】アダプタアタッチメントの分解斜視図である。
【図７】図５における前面図である。
【図８】図５における上面図である。
【図９】図７のＡ−Ａ断面図である。
【図１０】図８のＢ−Ｂ断面図である。
【図１１】本発明に係るアダプタアタッチメント並びに小型バッテリ及びそのバッテリアダプタないし墨出し器の斜視図である。
【図１２】図１１における左側面図である。
【図１３】図１１における右側面図である。
【図１４】図１１における上面図である。
【発明を実施するための形態】
【０００８】
以下、本発明の実施の形態やその変更例が、適宜図面に基づいて説明される。
当該形態や変更例における前後上下左右は、説明の便宜上定めたものであり、使用状況や移動する部材の状態等により変化することがある。
又、本発明は、下記の形態や変更例に限定されない。
【０００９】
図１は、本発明に係るアダプタアタッチメント１、並びに、バッテリＶ及びバッテリアダプタ２、ないし外部機器の一例である墨出し器１０１の斜視図であり、図２は、これらの左側面図であり、図３は、これらの右側面図であり、図４は、これらの上面図である。
ここでは、アダプタアタッチメント１と墨出し器１０１を組み合わせた場合の墨出し器１０１側が前側とされ、アダプタアタッチメント１側が後側とされる。
【００１０】
≪大型バッテリないしそのバッテリアダプタの構成等≫
まず、バッテリＶないしそのバッテリアダプタ２が説明される。
バッテリＶは、ここでは電動工具用である２種類（大型・小型）のリチウムイオンバッテリの内の大型のものであり、図１〜図４では大型のものが示されている。以下、バッテリやバッテリアダプタは、まず大型のバッテリＶ（例えば電圧１８Ｖあるいは１４．４Ｖ）やそのバッテリアダプタ２について説明され、その後小型のバッテリＶｓ（例えば１０．８Ｖ）やそのバッテリアダプタ２ｓについて説明される。尚、バッテリの種類の数や、種類の分け方（容量によるもの等）、電圧等は、適宜変更可能である。又、１個のバッテリアダプタにおいて、複数種類のバッテリが装着可能とされていても良い。
バッテリＶは、大型のバッテリＶ用のバッテリアダプタ２を介して、アダプタアタッチメント１の後上側に装着される。
バッテリＶは、図の状態で、前面左部において前方に膨らむ膨出部ＶＰを有しており、膨出部ＶＰの左側において前後方向に操作可能なバッテリレバーＶＬを有している。バッテリレバーＶＬは、膨出部ＶＰの右側に露出するバッテリ係止部（バッテリ爪，図示略）を有していると共に、図示されない弾性体（バネ）により前方に付勢されており、前方に位置しているとバッテリ爪が前方へ突出し、付勢力に抗して後方に操作されるとバッテリ爪が引っ込むようになっている。
【００１１】
大型のバッテリＶ用のバッテリアダプタ２は、図の状態で上下左右に広がる板状のバッテリアダプタ本体１０と、バッテリアダプタ本体１０の後面に配置されておりバッテリＶを装着するバッテリ装着部１１と、バッテリアダプタ本体１０の右面に配置された電力出力端子１２，１２と、当該右面であって電力出力端子１２，１２の前方の部分に配置されたスイッチ１３と、バッテリアダプタ本体１０の前面から突出したフック部１４と、電源ケーブル（図示略）を備えている。尚、電源ケーブルは、後述するアダプタアタッチメント１のバッテリアダプタ取付部材６や墨出し器１０１等の他の部材や装置に属するものとされても良いし、独立した部材として扱われても良い。
バッテリ装着部１１は、複数（ここでは２本）のスライドレール（図示略）を備えている。各スライドレールは、図の状態で左右方向に延びており、バッテリＶの前面（膨出部ＶＰ以外）の対応する位置に形成されている複数のスライド溝（図示略）に入る。即ち、各スライドレールは、その端部をスライド溝の端部に入れ、スライド溝に従ったスライドを行うことにより、バッテリＶのスライド溝に入り込む。スライド溝にスライドレールが入るようにしてバッテリＶがスライドされ、バッテリ装着部１１の左端部に膨出部ＶＰの右側が接触すると、バッテリ爪がバッテリ装着部１１に係止して、バッテリアダプタ２にバッテリＶが装着される。
電力出力端子１２，１２は、ここでは複数（２個）のＵＳＢ（ユニバーサル・シリアル・バス）端子（メス）である。各電力出力端子１２には、弾性体（エラストマ）のキャップ１６が着脱自在に設けられている。他方、電源ケーブルの一端には、接続端子（オスのＵＳＢ端子）が設けられており、他端には、接続端子（ＤＣプラグ）が設けられている。尚、ＤＣプラグは、ＵＳＢ端子（オス）等であっても良く、オス（メス）のＵＳＢ端子は、ＤＣプラグ（ＤＣジャック）等であっても良い。
フック部１４は、上面視でＬ字状に形成されており、バッテリアダプタ本体１０の前面左辺部から前方に短く延びた後、右方に長く延びている。
【００１２】
≪外部機器の構成等≫
次に、外部機器としての墨出し器１０１が説明される。
墨出し器１０１は、土木、建築工事等に用いられ、レーザー光線を照射して対象物に墨線を表示するものである。
墨出し器１０１は、外郭となるハウジング１０２を備えている。
ハウジング１０２の底面は、床面や梁の上面、桁の上面等の水平面に接触可能な平面であり、墨出し器用ウォールマウント１０４の取付孔（図示略）を有している。取付孔は、ここではネジ孔であるが、円筒状の孔や、有底の穴であっても良い。
【００１３】
ハウジング１０２内には、図示されないレーザー発生器及びその電源回路及び制御回路が配置されている。
ハウジング１０２の前部の上側には、上下に延びる垂直レーザー射出口１１０が配置されており、その下方には、左右に延びる水平レーザー射出口１１２が配置されている。レーザー射出口は、何れか一方のみが設けられても良いし、第３あるいはそれ以上のものが設けられても良いし、水平あるいは垂直以外の方向において設けられても良い。
レーザー発生器は、垂直レーザー射出口１１０から前方へ、レーザー光線を垂直放射状に照射する。レーザー光線は、水平に設置される場合のハウジング１０２の底面に垂直となる。かような垂直放射状のレーザー光線の照射により、例えば屋内では天井墨、縦墨、地墨等の同一垂直面上の墨線（垂直ライン）が表示される。
他方、レーザー発生器は、水平レーザー射出口１１２から前方へ、レーザー光線を水平放射状に照射する。レーザー光線は、水平に設置される場合のハウジング１０２の底面に平行となる。かような水平放射状のレーザー光線の照射により、例えば屋内では横墨等の同一水平面上の墨線（水平ライン）が表示される。
レーザー光線ないし墨線の色は、ここでは垂直ライン及び水平ラインとも緑色であるが、赤色等であっても良く、複数色を切り替えてあるいは同時に表示可能であっても良い。
【００１４】
ハウジング１０２の上面には、制御回路と接続されたパルスモードボタン１２０と、電源回路ないし制御回路と接続された切替ボタン１２２が配置されている。
電源オフ時における切替ボタン１２２の押下により、墨出し器１０１の電源がオンされる。又、電源オン時における切替ボタン１２２の押下により、垂直ラインの表示、水平ラインの表示、双方のラインの表示が順次切替えられ、電源オン時における切替ボタン１２２の長押し（所定時間以上に亘る押下）により、墨出し器１０１の電源がオフされる。
ハウジング１０２の前部には、電源回路に接続された電力入力端子１２４が露出している。電力入力端子１２４は、ここでは上記のＤＣプラグが入るＤＣジャックであるが、ＵＳＢ端子（メス）等であっても良い。
【００１５】
墨出し器用ウォールマウント１０４は、水平板状のベース１３０と、ベース１３０の上部に形成された台部１３２と、ベース１３０の後部に配置されたマグネット部１３４と、を備えている。
ベース１３０の底面と台部１３２の上面は水平面とされており、台部１３２の上面の中央には、その周囲から上方に突出する取付突起（図示略）が配置されている。取付突起は、墨出し器１０１のハウジング１０２底面に形成された取付穴に入ることで墨出し器１０１を取り付けるものであり、ここではネジである。
マグネット部１３４は、複数（２個）のマグネット（永久磁石，図示略）を有している。マグネット部１３４の後端部の一部は垂直面となっており、その垂直面においてマグネットの一面が露出している。
又、マグネット部１３４の上部には、後述のフック用孔３０と同様であるフック用孔（図示略）を有するフック用孔部１３８が形成されている。フック用孔には、図示されないフックが入れられる。フック用孔部１３８は、その周囲から上方に突出しており、フック用孔は、短く前後に延びている。
墨出し器用ウォールマウント１０４には、墨出し器１０１が取付突起を介して着脱自在に取付けられる。墨出し器用ウォールマウント１０４は、マグネット部１３４を介して、磁性体である壁や梁等の構造体に対し、磁力により固定可能であり、墨出し器１０１を取り付けた状態で構造体に固定すれば、墨出し器１０１を壁等の構造体に設置することができる。又、墨出し器用ウォールマウント１０４は、フック用孔部１３８のフック用孔にフックを入れることで、フックないしフックを配置した壁等の構造物に固定可能であり、墨出し器１０１をフックやフック付きの構造体に設置することができる。
【００１６】
≪アダプタアタッチメントの構成等≫
続いて、墨出し器１０１に電力を供給可能なアダプタアタッチメント１が説明される。
図５は、アダプタアタッチメント１の斜視図であり、図６は、アダプタアタッチメント１の分解斜視図であり、図７は、アダプタアタッチメント１の前面図であり、図８は、アダプタアタッチメント１の上面図であり、図９は、図７のＡ−Ａ断面図であり、図１０は、図８のＢ−Ｂ断面図である。
アダプタアタッチメント１は、墨出し器用ウォールマウント１０４と同様に成るウォールマウント４と、バッテリアダプタ２及びウォールマウント４の間に介装されるバッテリアダプタ取付部材６を有している。尚、バッテリアダプタ２，２ｓ及びバッテリＶ，Ｖｓの少なくとも何れかは、アダプタアタッチメント１の構成要素とされても良い。又、これらのうちの少なくとも２つの部材は、分離不能に一体とされていても良く、バッテリアダプタ取付部材６は、他の部材と一体とされると、その部材のバッテリアダプタ取付部となる。例えば、一体化されたウォールマウント４及びバッテリアダプタ取付部材６は、バッテリアダプタ取付部を有するウォールマウントとして扱われても良い。又、一体化において、分離不能に一体化され、あるいは当初から一体化された状態で形成されても良い。バッテリアダプタ取付部材６とバッテリアダプタ２が一体化されても良い（バッテリアタッチメント）。
【００１７】
ウォールマウント４は、水平板状のベース２０と、ベース２０の上部に形成された台部２２と、ベース２０の後部に配置されたマグネット部２４と、を備えている。
台部２２の上面は水平面とされており、その上面には、複数（４個）のバッテリアダプタ取付部材固定孔２６，２６・・が配置されている。
保持部の一例としてのマグネット部２４は、マグネット２８，２８（永久磁石）を有している。マグネット部２４の前端部の一部は垂直面となっており、その垂直面において各マグネット２８の一面が露出している。
又、マグネット部２４の上部には、フック用孔３０を有するフック用孔部３２が形成されている。フック用孔３０には、図示されないフックが入れられる。保持部の他の一例としてのフック用孔部３２は、その周囲から上方に突出しており、フック用孔３２は、短く前後に延びている。
【００１８】
バッテリアダプタ取付部材６は、バッテリアダプタ取付部材本体４０と、爪部材４２と、ケーブル収納部材４４と、を有する。尚、これらのうちの少なくとも２つの部材は、分離不能に一体とされていても良い。
バッテリアダプタ取付部材本体４０は、水平板状のベース部５０と、ベース部５０の上面前端部から上方へ突出した起立部５２と、を備えている。
【００１９】
ベース部５０には、複数（４個）の固定孔５４，５４・・が開けられている。各固定孔５４は、ウォールマウント４の何れかのバッテリアダプタ取付部材固定孔２６と対応する位置に配置されており、これらの孔に共通してネジ５６を入れることで、ウォールマウント４にバッテリアダプタ取付部材６が固定され、ウォールマウント４とバッテリアダプタ取付部材６が一体となる。
【００２０】
起立部５２は、上部において、左右に開放した箱状部５８を有している。
箱状部５８における板状の後部は、バッテリアダプタ２のフック部１４が隣接可能な隣接板状部６０となっている。隣接板状部６０の左右には、その上下部分より左右方向で内方に括れている括れ部６２がそれぞれ形成されている。フック部１４の上下方向の大きさ（幅）は、括れ部６２の上下方向の長さより大きくなっており、箱状部５８の上下の内面の距離より小さくなっている。
他方、箱状部５８における板状の前部の中央部には、複数（２個）のネジ孔６４，６４が形成されている。ネジ孔６４，６４は、上下に並べられており、それらの上下方向での外側（上のネジ孔６４の上方と下のネジ孔６４の下方）には、前面から後方へ窪む窪み部６６，６６が形成されており、更にそれらの上下方向での外側には、後面から後方へ突出するボス６７，６７が形成されている。
更に、バッテリアダプタ取付部材本体４０（箱状部５８における板状の前部ないしベース部５０前端部）の前面の周囲には、前方へ突出する庇部６８が形成されている。庇部６８の左部及び右部の各上端部には、側面視でＬ字状に凹んだ凹部６９が形成されている。
【００２１】
爪部材４２は、１８０°近くまで開くように互いに接合された左右の斜め後方に延びる複数（２枚）の羽根状部７０，７０と、その接合部に開けられた上下のネジ孔７２，７２と、これらの上下方向での外側において前面から後方へ窪むように形成された窪み部７３，７３と、を有する。各羽根状部７０の先端部には、後方へ突出する爪７４（係止部）が形成されている。
ケーブル収納部材４４は、上面視でΩ字状であり中央部がより後方となる折り曲げ板状の部材である。ケーブル収納部材４４の中央部の後部には、上下にネジ孔７６，７６が形成されており、それらの上下方向での外側には、後面から後方へ突出するボス７８，７８が形成されている。又、ケーブル収納部材４４の左右の後面から後方へ突出するリブ７９，７９が設けられている。各リブ７９は、後面視で上下方向の中央が左右方向の外側へ膨らむようなカーブを有している。各リブ７９の後端は、ケーブル収納部材４４の中央部より前方に位置している。
爪部材４２及びケーブル収納部材４４は、起立部５２の箱状部５８における板状の前部に取り付けられ、バッテリアダプタ取付部材本体４０と一体となる。即ち、爪部材４２は、箱状部５８の中を通され、各ネジ孔７２がそれに対応する箱状部５８のネジ孔６４に合わせられると共に、各窪み部７３がそれに対応する箱状部５８のボス６７を受け入れる。又、ケーブル収納部材４４は、箱状部５８の前側において、各ネジ孔７６がそれに対応する箱状部５８のネジ孔６４に合わせられると共に、各ボス７８がそれに対応する箱状部５８の窪み部６６に入れられた状態で配置される。そして、ネジ孔６４，７２，７６に共通して入るネジ８０により、箱状部５８に爪部材４２及びケーブル収納部材４４が固定される。
かような固定により、爪部材４２の各爪７４は、箱状部５８の左右方向での外方に配置され、自身と同じ側（隣接部）における箱状部５８後面部の括れ部６２以外の左右辺部との間の寸法が、バッテリアダプタ２のフック部１４における前後方向に延びる部分（基部）に係る左右方向の寸法と同様となるように配置される。又、ケーブル収納部材４４の各リブ７９より左右方向での外側の部分の前部は、箱状部５８の庇部６８から前方へ露出する。各リブ７９より左右方向での外側の空間、並びに各リブ７９の上端部間の上側及び下端部間の下側の空間（であってケーブル収納部材４４の左右の前面部や庇部６８より内方の空間）は、ケーブル収納部Ｒとなっている。
【００２２】
≪小型バッテリないしそのバッテリアダプタの構成等≫
図１１〜図１４は、大型のバッテリＶやそのバッテリアダプタ２に代えて、小型のバッテリＶｓやそのバッテリアダプタ２ｓを装着した場合の図１〜図４同様図である。
小型のバッテリＶｓは、大型のバッテリＶと同様に、膨出部ＶＰｓと、バッテリレバーＶＬｓと、を備えている。
小型のバッテリＶｓ用のバッテリアダプタ２ｓは、大型のバッテリアダプタ２と同様に、バッテリアダプタ本体１０ｓと、バッテリ装着部１１ｓと、電力出力端子１２ｓと、スイッチ１３ｓと、フック部１４ｓと、電源ケーブル（図示略）を備えている。
但し、電力出力端子１２ｓは、キャップ１６ｓを備えた状態で１個設けられており、その下方にスイッチ１３ｓが配置されている。
又、フック部１４ｓの幅（上下方向の大きさ）は、各括れ部６２の長さ以下（その長さと同様）である。更に、フック部１４ｓは、左部において左面前辺部中央から左方へ突出する突部１７ｓを備えており、フック部１４ｓの基部右面から突部１７ｓ先端までの左右方向の距離は、括れ部６２からその近くの爪７４までの左右方向の距離と同様である。
【００２３】
≪動作例等≫
上述のアダプタアタッチメント１ないしバッテリＶ，Ｖｓやバッテリアダプタ２，２ｓ等の動作例が説明される。
ウォールマウント４には、各バッテリアダプタ取付部材固定孔２６を通ったネジ５６が固定孔５４に入ることにより、バッテリアダプタ取付部材６が分離可能に固定され、バッテリアダプタ取付部を具備したウォールマウント４、即ちアダプタアタッチメント１が形成される。
【００２４】
バッテリアダプタ取付部材６には、フック部１４が隣接板状部６０に対し左側から右方へ入れられて係止することにより、大型のバッテリＶ用のバッテリアダプタ２が、図１〜図４の状態で着脱自在に取り付けられる。
バッテリアダプタ２取付時、フック部１４基部の右面が左の括れ部６２の下側に接触した状態で、爪７４がフック部１４の左面前部に係止する。又、バッテリＶの下部が、バッテリアダプタ取付部材本体４０のベース部５０上面に接触する。
他方、同様に、小型のバッテリＶｓ用のバッテリアダプタ２ｓが、図１１〜図１４の状態で着脱自在に取り付けられる。
バッテリアダプタ２ｓ取付時、フック部１４ｓ基部の右面が左の括れ部６２内に入った状態で、左の爪７４がフック部１４の左面前部（突部１７ｓ）に係止する。
バッテリアダプタ２，２ｓには、バッテリＶ，Ｖｓが着脱自在に取り付けられる。
【００２５】
アダプタアタッチメント１にバッテリＶ付きのバッテリアダプタ２が取り付けられた状態で、何れかのキャップ１６を外した電力出力端子１２と墨出し器１０１の電力入力端子１２４とが電源ケーブルにより接続されると、バッテリＶの電力が、バッテリ側電源端子２２４，２２６、バッテリ装着部１１のバッテリアダプタ側端子、電力出力端子１２、電源ケーブル、及び電力入力端子１２４を介して、墨出し器１０１に供給される。
又、同様に、バッテリＶｓ付きのバッテリアダプタ２ｓが取り付けられた状態で、キャップ１６ｓを外した電力出力端子１２ｓと墨出し器１０１の電力入力端子１２４とが電源ケーブルにより接続されると、バッテリＶの電力が、バッテリ側電源端子２６０，２６２、バッテリ装着部１１のバッテリアダプタ側端子、電力出力端子１２ｓ、電源ケーブル、及び電力入力端子１２４を介して、墨出し器１０１に供給される。
墨出し器１０１は、一般的な乾電池より大きい容量や電力を有している電動工具用のリチウムイオンバッテリＶ，Ｖｓにより駆動される。よって、墨出し器１０１において、バッテリＶ，Ｖｓの十分な電力により安定した表示が確保されるし、バッテリＶ，Ｖｓの十分な容量により実用的な表示時間を確保することができる。又、墨出し器１０１において、比較的に発出のためのエネルギーが小さい赤色レーザーによる赤色の墨線に代えて、より発出のためのエネルギーが大きい緑色レーザーによる緑色の墨線を表示するようにしても、安定した表示が可能であるし、実用的な表示時間が確保される。更に、バッテリＶ，Ｖｓが乾電池より大型になったとしても、バッテリＶ，Ｖｓは内蔵されず外部に設置されるから、墨出し器１０１の形状が大型化されることなく電力が供給されることとなる。
又、電源ケーブルは、電力出力端子１２，１２ｓから墨出し器１０１の電力入力端子までの長さより十分に長い場合、これら端子との接続を維持したまま、その一部をケーブル収納部Ｒに収納することができる。即ち、バッテリアダプタ取付部材本体４０の前面から前方へ突出した左右のリブ７９，７９の外側に、電源ケーブルの一部を巻き付けることができる。このとき、少なくとも一方の凹部６９に対し、電源ケーブルにおける巻き付け部の隣接部分を掛けることで、巻き付けが緩んだり解かれたりする事態が防止される等、電源ケーブルが取り回し易くなる。尚、電源ケーブルが巻き付けられない場合においても、電源ケーブルの一部分を凹部６９に掛けることで、その一部分を位置決めすることができ、電源ケーブルの取り回し性が良好になる。又、電源ケーブルの全体がケーブル収納部Ｒに巻き付けられることで、電源ケーブルが不使用時に収納される。かような収納時、端部（ケーブル端子部の根元）を凹部６９に掛けることで、電源ケーブルの収納姿勢が保持される。
【００２６】
ウォールマウント４は、マグネット部２４のマグネット２８，２８を介して、磁性体である壁や梁等の構造体（水平箇所以外の箇所）に固定可能であり、バッテリアダプタ取付部材６を介してバッテリＶ，Ｖｓ付きのバッテリアダプタ２，２ｓを取り付けた状態で構造体に固定すれば、バッテリＶ，Ｖｓ付きのバッテリアダプタ２，２ｓを壁等の構造体に設置することができる。又、ウォールマウント４は、フック用孔部３２のフック用孔３０にフックを入れることで、フックないしフックを配置した壁等の構造物に固定可能であり、バッテリＶ，Ｖｓ付きのバッテリアダプタ２，２ｓをフックやフック付きの構造体に設置することができる。
アダプタアタッチメント１は、墨出し器用ウォールマウント１０４を装着しあるいは装着しない状態で台等の構造物の水平箇所に設置された墨出し器１０１に対し、その水平箇所に隣接する柱や壁等の構造物の垂直箇所に保持された状態で、電力を供給することができる。
又、アダプタアタッチメント１は、墨出し器用ウォールマウント１０４を介して構造物の垂直箇所に保持された墨出し器１０１に対し、その垂直箇所に隣接する水平箇所等に置かれた状態で、又はその垂直箇所若しくはそれに隣接する垂直箇所等に保持された状態で、電力を供給することができる。
更に、ウォールマウント４と墨出し器用ウォールマウント１０４は、図１〜図４や図１１〜１４に示されるように、マグネット部２４，１３４を互いに連結させることで、分離可能に一体化させることができ、一体化した状態で設置したり持ち運んだりする等、取り扱い易くすることができる。かような一体化の際、フック用孔部３２，１３８のフック用孔３０，フック用孔が互いに重複し、フック用孔３０，フック用孔にフックを入れることで、一体となったウォールマウント４と墨出し器用ウォールマウント１０４を保持することが可能である。
【００２７】
又、バッテリアダプタ２のバッテリアダプタ取付部材６に対する取付姿勢が図１〜図４の状態から変えられることで、バッテリアダプタ２付きバッテリＶの向きが変更される。
即ち、図１〜図４の取付状態から、まずバッテリアダプタ２付きのバッテリＶが爪７４の係止を解いた状態で左方へ引かれ、バッテリアダプタ２のフック部１４がバッテリアダプタ取付部材６から離れるようにする。次いで、フック部１４の基部が右側となる状態で（図の状態から前後方向の軸周りに１８０°回転した状態で）、バッテリアダプタ２付きバッテリＶが隣接板状部６０の右方に配置されるようにする。そして、バッテリアダプタ２付きバッテリＶが左方へ移動され、フック部１４がバッテリアダプタ取付部材６の箱状部５８に右から入り、フック部１４基部が隣接板状部６０における右の括れ部６２の下方部分に接触した状態で右の爪７４がフック部１４右面に係止することで、バッテリＶが膨出部ＶＰを右側とする向きとなるように、バッテリアダプタ２付きのバッテリＶがバッテリアダプタ取付部材６に取り付けられる。このとき、バッテリＶは、バッテリアダプタ取付部材本体４０のベース部５０に載る。
又、同様に、バッテリＶｓ付きのバッテリアダプタ２ｓの取付姿勢も図１１〜図１４の状態から変更可能である。バッテリＶｓ付きのバッテリアダプタ２ｓの取付姿勢が変更された場合、フック部１４ｓ基部の左面が右の括れ部６２内に入った状態で、右の爪７４がフック部１４の右面（突部１７ｓ）に係止する。
かようにバッテリアダプタ２，２ｓ付きバッテリＶ，Ｖｓの向きが変更可能であることで、狭い場所でも電力出力端子１２，１２ｓに電源ケーブルを接続することが可能となる等、設置時の環境に対応することが可能となり、墨出し器１０１やバッテリＶ，Ｖｓ等の設置可能箇所を広げ、使い勝手をより良くすることができる。又、バッテリアダプタ２，２ｓ付きバッテリＶ，Ｖｓを左方からも右方からも取り付けることができ、何れか一方側しか空間がない場合において、その一方側から取付可能であって様々な環境に対応することができるし、双方に空間がある場合には、右利きないし左利きのユーザーの双方にとってバッテリアダプタ２，２ｓ付きバッテリＶ，Ｖｓが取り付け易いものとなる。
【００２８】
又、バッテリＶ，Ｖｓは、図の状態で適宜バッテリレバーＶＬ，ＶＬｓを後方に操作しながら左方にスライドさせることでバッテリアダプタ２，２ｓから外すことができ、又外した状態から右方にスライドさせることでバッテリアダプタ２，２ｓに取り付けることができる。ここで、バッテリは、電力や容量を大きくする目的で容積を増量する場合、様々な容積のバッテリにおける取付の容易性確保の観点から、取付時のスライド方向（左右方向）の寸法はなるべく維持し、それ以外の方向（上下方向，前後方向）の寸法が大きくされる傾向がある（バッテリＶｓに対するバッテリＶ参照）。アダプタアタッチメント１では、バッテリＶ，Ｖｓやバッテリアダプタ２，２ｓが左右方向のスライドにより取り付けられるため、バッテリ装着部１１の後方の空間や上下の空間に余裕を持たせることができ、様々な容積のバッテリＶ，Ｖｓ等に対応することが可能となる。尚、バッテリアダプタ２，２ｓは、バッテリ装着部１１が上方を向くように（水平に）配置されても良く、この場合も取付時のスライド方向以外の方向の空間に余裕を持たせることができて、様々な容積のバッテリＶ，Ｖｓ等に対応することが可能となる。但し、バッテリアダプタ２のフック部１４の耐久性の観点から、アダプタアタッチメント１のようにバッテリ装着部１１が後方を向くように（垂直に）配置されることがより好ましい。又、バッテリ装着部１１は、上述の向き以外の向きで配置されても良い。
尚、括れ部６２内に更に別の括れ部が配置され、括れ部が多段に設けられれば、隣接板状部６０において３種以上の大きさを有するフック部（バッテリアダプタ）を係止可能に受け入れることができる。
【００２９】
≪効果等≫
以上のアダプタアタッチメント１は、バッテリアダプタ２，２ｓを取り付けるバッテリアダプタ取付部材６と、水平箇所以外における設置を維持するマグネット部２４やフック用孔部３２と、を備えており、バッテリアダプタ２，２ｓは、バッテリＶ，Ｖｓを装着可能なバッテリ装着部１１，１１ｓと、バッテリ装着部１１，１１ｓに装着されたバッテリＶ，Ｖｓの電力を墨出し器１０１に対し出力する電力出力端子１２，１２ｓと、を有している。よって、墨出し器１０１に給電するバッテリＶ，Ｖｓが水平箇所以外の箇所に設置可能となり、バッテリＶ，Ｖｓないしバッテリアダプタ２，２ｓや墨出し器１０１の設置の自由度が高まって、アダプタアタッチメント１等が墨出し器１０１と一緒に取り扱い易いものとなる。
又、バッテリアダプタ取付部材６は、バッテリアダプタ２，２ｓに係止する爪７４を有している。よって、バッテリアダプタ２，２ｓが取り付け易い。
更に、バッテリアダプタ取付部材６は、バッテリアダプタ２，２ｓと隣接可能である隣接板状部６０を有している。よって、バッテリアダプタ２，２ｓを取付位置に移動させ易い。
又更に、バッテリアダプタ２，２ｓは、フック部１４，１４ｓを有しており、バッテリアダプタ取付部材６は、フック部１４，１４ｓにおいてバッテリアダプタ２，２ｓを取り付ける。よって、バッテリアダプタ２，２ｓがフック部１４，１４ｓの利用により、一層取り付け易くなる。
又、前記保持部は、マグネットである。よって、アダプタアタッチメント１の水平箇所以外への設置がより一層簡単になる。
又更に、アダプタアタッチメント１は、電力出力端子１２，１２ｓに接続される電源ケーブルを収納可能なケーブル収納部Ｒを備えている。よって、電源ケーブルの取り回しが容易に行え、アダプタアタッチメント１が電源ケーブルと一緒に取り扱い易いものとなる。
加えて、バッテリＶ，Ｖｓによって給電される外部機器は、墨出し器１０１である。よって、墨出し器１０１を大型化することなく、墨線表示の更なる安定化や長時間化が図れる。
又、バッテリＶ，Ｖｓは、電動工具用バッテリである。よって、電動工具用バッテリを活用することができる。
【００３０】
≪変更例等≫
尚、本発明の形態は、上記形態やその変更例に限定されず、例えば上述の各形態等に対して次のような変更を適宜施したものとすることができる。
バッテリは、充電可能な二次電池ではなく一次電池であっても良いし、電動工具用バッテリでなく電気機器用バッテリ等であっても良いし、乾電池であっても良いし、乾電池を内蔵可能である乾電池パックであっても良いし、電動工具用バッテリと同様の外形を有していて乾電池を内蔵可能である乾電池パック（ダミーバッテリ）であっても良い。
バッテリがダミーバッテリである場合、バッテリ装着部に対し、電動工具用バッテリを取付可能でありながら、乾電池もダミーバッテリを介して取り付けることか可能となる。この場合、ダミーバッテリは、上述の電動工具用バッテリと同様に、電力供給用のバッテリ端子のみを有していても良いし、これに加えて信号用のバッテリ端子を有していても良い。
【００３１】
各種の爪による係止は、出没可能であり弾性体（バネ）により突出位置へ付勢されている突起によるもの等、様々に変更可能である。各種のネジ止め箇所は、爪や圧接等による係止に変更しても良い。係止箇所やネジ止め箇所の数や配置は、上述したものから変更されても良い。各種のボスや窪みの形状や数、配置や位置決めの態様等も、ボスや窪み部に代えてレールや案内溝が配置されるようにする等、様々に変更されても良い。
バッテリアダプタ取付部材の庇部や凹部が省略ないし増減されたり、箱状体が係止部のみを有する板状体とされたり、ケーブル収納部材のリブが上下若しくは上下左右に配置されたり、電力出力端子が１個又は３個以上とされたり、電力出力端子等がＵＳＢ以外の形状を有するものとされたり、ウォールマウントが墨出し器用ウォールマウントと同様でない形状とされたり、マグネットが１個あるいは３個以上設けられたり、マグネットが電磁石とされたり、バッテリにスライドレールが設けられると共にバッテリ装着部にスライド溝が設けられるようにしたりする等、各種部材の形状や材質、配置や個数等は様々に変更されても良い。
バッテリアダプタにおけるバッテリ装着部の端子と電力出力端子との間の接続は、リード線によるものであっても良いし、基板の配線によるものであっても良い。後者の場合、その基板にバッテリ装着部の端子や電力出力端子が搭載されても良い。
外部機器は、ライト、ファン、ラジオ、スピーカー、コンプレッサー、コーヒーメーカーないしこれらの組合せであっても良い。
【符号の説明】
【００３２】
１・・アダプタアタッチメント、２，２ｓ・・バッテリアダプタ、４・・ウォールマウント、６・・バッテリアダプタ取付部材（バッテリアダプタ取付部）、１１・・バッテリ装着部、１２・・電力出力端子、２４・・マグネット部（保持部）、３２・・フック用孔部（保持部）、６０・・隣接板状部、７４・・爪（係止部）、１０１・・墨出し器（外部機器）、Ｒ・・ケーブル収納部、Ｖ・・バッテリ（大型）、Ｖｓ・・バッテリ（小型）。
【図１】
2018085303.tif 000003
【図２】
2018085303.tif 000004
【図３】
2018085303.tif 000005
【図４】
2018085303.tif 000006
【図５】
2018085303.tif 000007
【図６】
2018085303.tif 000008
【図７】
2018085303.tif 000009
【図８】
2018085303.tif 000010
【図９】
2018085303.tif 000011
【図１０】
2018085303.tif 000012
【図１１】
2018085303.tif 000013
【図１２】
2018085303.tif 000014
【図１３】
2018085303.tif 000015
【図１４】
2018085303.tif 000016